(57)【要約】【課題】  ＨＡＲＱの機能を備える無線通信システムにおいて、合成したパケット信号の誤り率を改善させることが可能な通信装置及び制御方法を提供する。【解決手段】  本発明に係る通信装置は、無線回線を介して複数のパケット信号を受信し、パケット信号に含まれるノイズ信号を抑制して複数のパケット信号を合成する通信装置であって、パケット信号には、自装置で既知の情報を示す既知信号と、自装置で知られていない情報を示す未知信号とが含まれており、複数のパケット信号間にて、既知信号の相関と未知信号の相関とを比較する相関比較部と、相関比較部の結果に基づいて、複数のパケット信号の合成方式を制御する合成方式制御部と、複数のパケット信号を合成する合成部とを備える。【選択図】図２
2008060849.tif 000002
【特許請求の範囲】
【請求項１】
無線回線を介して複数のパケット信号を受信し、前記パケット信号に含まれるノイズ信号を抑制して複数の前記パケット信号を合成する通信装置であって、
前記パケット信号には、自装置で既知の情報を示す既知信号と、自装置で知られていない情報を示す未知信号とが含まれており、
複数の前記パケット信号間にて、前記既知信号の相関と前記未知信号の相関とを比較する相関比較部と、
前記相関比較部の結果に基づいて、複数のパケット信号の合成方式を制御する合成方式制御部と、
複数のパケット信号を合成する合成部と
を備えることを特徴とする通信装置。
【請求項２】
複数の前記パケット信号のそれぞれに含まれる前記既知信号の相関度を示す既知相関値を算出する既知相関値算出部と、
複数の前記パケット信号のそれぞれに含まれる前記未知信号の相関度を示す未知相関値を算出する未知相関値算出部とを更に備え、
前記相関比較部は、算出された前記既知相関値と前記未知相関値とを比較することを特徴とする請求項１に記載の通信装置。
【請求項３】
前記合成方式制御部は、前記相関比較部の結果に基づいて、複数の前記パケット信号において、相関度の高いノイズ信号を抑制して合成する第１の合成方式を使用するか、又は、相関度を有する部分を増加させて合成する第２の合成方式を使用するかを選択することを特徴とする請求項１又は２に記載の通信装置。
【請求項４】
前記相関比較部は、前記既知相関値と前記未知相関値との差を比較し、
前記合成方式制御部は、前記既知相関値と前記未知相関値との差が所定の値未満である場合、前記第１の合成方式を選択することを特徴とする請求項３に記載の通信装置。
【請求項５】
無線回線を介して複数のパケット信号を受信し、前記パケット信号に含まれるノイズ信号を抑制して複数の前記パケット信号を合成する通信装置における制御方法であって、
前記パケット信号には、自装置で既知の情報を示す既知信号と、自装置で知られていない情報を示す未知信号とが含まれており、
複数の前記パケット信号間にて、前記既知信号の相関と前記未知信号の相関とを比較する相関比較ステップと、
前記相関比較ステップの結果に基づいて、複数のパケット信号の合成方式を制御する合成方式制御ステップと、
複数のパケット信号を合成する合成ステップと
を備えることを特徴とする制御方法。
【請求項６】
複数の前記パケット信号のそれぞれに含まれる前記既知信号の相関度を示す既知相関値を算出する既知相関値算出ステップと、
複数の前記パケット信号のそれぞれに含まれる前記未知信号の相関度を示す未知相関値を算出する未知相関値算出ステップとを更に備え、
前記相関比較ステップにおいて、算出された前記既知相関値と前記未知相関値とを比較することを特徴とする請求項５に記載の制御方法。
【請求項７】
前記合成方式制御ステップにおいて、前記相関比較ステップの結果に基づいて、複数の前記パケット信号において、相関度の高いノイズ信号を抑制して合成する第１の合成方式を使用するか、又は、相関度を有する部分を増加させて合成する第２の合成方式を使用するかを選択することを特徴とする請求項５又は６に記載の制御方法。
【請求項８】
前記相関比較ステップにおいて、前記既知相関値と前記未知相関値との差を比較し、
前記合成方式制御ステップにおいて、前記既知相関値と前記未知相関値との差が所定の値未満である場合、前記第１の合成方式を選択することを特徴とする請求項７に記載の制御方法。
【発明の詳細な説明】
【技術分野】
【０００１】
本発明は、無線回線を介して複数のパケット信号を受信し、パケット信号に含まれるノイズ信号を抑制して複数のパケット信号を合成する通信装置及び制御方法に関する。
【背景技術】
【０００２】
従来、パケット信号を送受信する無線通信システムでは、通信装置で受信したパケット信号に誤りが検出された場合でも、誤りを検出したパケット信号を廃棄せず、当該パケット信号と再送されたパケット信号とを合成し、合成したパケット信号の誤り率を改善するハイブリッド自動再送要求（以下、ＨＡＲＱ：Ｈｙｂｒｉｄ−Ａｕｔｏｍａｔｉｃ Ｒｅｐｅａｔ Ｒｅｑｕｅｓｔ）が提案されている（例えば、非特許文献１参照）。
【０００３】
図１０を参照し、ＨＡＲＱの機能を備える通信装置の一般的な構成について説明する。なお、図１０に示す通信装置では、Ｃｈａｓｅ Ｃｏｍｂｉｎｉｎｇ（ＣＣ）方式によりＨＡＲＱが実行される場合を例に説明する。図１０に示すように、かかる通信装置は、誤り検出部４１と、メモリ４２と、再送要求発生部４３と、合成部４４とを備える。
【０００４】
誤り検出部４１は、合成部４４から出力される信号に対して、誤り訂正などの復号処理を行ったあと、誤りの有無を検出する。さらに、誤りの有無に基づく制御信号を、メモリ４２及び再送要求発生部４３に供給する。
【０００５】
メモリ４２は、誤り検出部４１からの制御信号に基づき、合成後のパケット信号を保存（以下、保存信号）する。
【０００６】
再送要求発生部４３は、誤り検出部４１からの制御信号に基づき、再送要求が必要な際、当該パケット信号の送信元に対して、再送要求信号を送信する。
【０００７】
合成部４４は、予め設定されている合成ウエイト算出方式に基づいて、再送信されたパケット信号（以下、再送信号）とメモリに保存されている保存信号との合成ウエイトを計算し、再送信号と保存信号との合成処理を行い、合成したパケット信号（以下、合成信号）を生成する。
【０００８】
具体的に、当該パケット信号には、トレーニングシーケンス（ＴＳ）等、受信側で既知の情報を示す既知信号と、受信側では知られていない通信データの内容を示す未知信号とが含まれている。そして、合成部４４は、保存信号に含まれる既知信号と、再送信号に含まれる既知信号とを参照し、例えば、最小２乗誤差合成方式（ＭＭＳＥ）等の予め設定された合成ウエイト計算方式により、両方の既知信号に基づいて、保存信号と再送信号とを合成する際の合成ウエイトを算出すると共に、当該合成ウエイトに基づいて、保存信号と再送信号とを合成する。
【０００９】
このようにして、ＨＡＲＱの機能を備える通信装置では、保存信号と再送信号とに含まれる既知信号に基づいて、合成ウエイトを算出して保存信号と再送信号とを合成することで、遅延信号や干渉信号等のノイズ信号が受信信号に含まれる場合であっても、合成信号における誤り率の改善が図られている。
【００１０】
ところで、例えば、空間多重接続（ＳＤＭＡ）方式等により、同じタイミング、かつ同じチャネルで複数の通信装置と無線通信を実行する無線通信システムでは、他の通信装置向けに送信される無線信号の干渉信号が、大きなノイズ信号としてパケット信号に含まれる場合がある。
【００１１】
図１１（ａ）乃至（ｂ）には、通信装置１乃至２が、互いの干渉信号より、同じタイミングｔ（ｍ）で受信したパケット信号に誤りを検出して再送要求し、同じタイミングｔ（ｍ＋Ｄ）で再送信号を受信する際のパケット信号の時間軸上の関係が示されている。
【００１２】
同図において、“ｍ”はパケット番号を示し、“Ｄ”は、再送信号までのパケット数を示している。また、“ＴＳ１”及び“ＴＳ２”は、通信装置１及び通信装置２で受信されるパケット信号に含まれる既知信号を示し、“Ｄａｔａ１_ｍ”及び“Ｄａｔａ２_ｍ”は、通信装置１及び通信装置２で受信されるパケット信号に含まれるデータ等の未知信号を示している。
【００１３】
図１１（ａ）に示す通信装置１に着目すると、通信装置１は、タイミングｔ（ｍ）とタイミングｔ（ｍ＋Ｄ）とにおいて、通信装置２向けに送信された同じパケット信号により生じる同じ干渉信号を含むパケット信号を受信する。
【００１４】
ここで、通信装置１は、ＨＡＲＱ機能によりパケット信号の合成を行う場合、タイミングｔ（ｍ）で受信して保存した保存信号に含まれる既知信号ＴＳ１と、タイミングｔ（ｍ＋Ｄ）で受信した再送信号に含まれる既知信号ＴＳ１とを参照し、合成ウエイトを算出する。また、通信装置１は、算出した合成ウエイトに基づいて、保存信号と再送信号とを合成することで、データ等を含む未知信号Ｄａｔａ１_ｍにおける干渉信号を抑制し、誤り率を改善した合成信号を生成している。
【非特許文献１】“ＭＣ−ＣＤＭＡにおけるハイブリッドＡＲＱの再送制御方式、”三次憲一  他４名、電子情報通信学会論文誌 B Vol．J89-B No．2 pp．182-194。
【発明の開示】
【発明が解決しようとする課題】
【００１５】
一方、図１１（ｂ）に示すように、通信装置１のみが、タイミングｔ（ｍ）で受信した信号に、通信装置２向けのパケット信号で生じた干渉信号によって、誤りを検出し、再送要求する場合がある。
【００１６】
このような場合、通信装置１において、タイミングｔ（ｍ）とタイミングｔ（ｍ＋Ｄ）とで受信したパケット信号の既知信号ＴＳ１には、通信装置２向けの既知信号ＴＳ２による同じ干渉信号が含まれる。
【００１７】
しかし、通信装置１では、タイミングｔ（ｍ）で受信したパケット信号の未知信号Ｄａｔａ１_ｍに、通信装置２向けの未知信号Ｄａｔａ２_ｍによる干渉信号が含まれ、タイミングｔ（ｍ＋Ｄ）で受信された再送信号の未知信号Ｄａｔａ１_ｍに、通信装置２向けに送信された新たなパケット信号の未知信号Ｄａｔａ２_ｍ+Ｄによる干渉信号が含まれる。
【００１８】
このような場合、通信装置１では、タイミングｔ（ｍ）及びタイミングｔ（ｍ＋Ｄ）で受信したそれぞれのパケット信号に含まれる既知信号ＴＳ１には、通信装置２向けの既知信号ＴＳ２による同様の干渉信号が含まれるが、タイミングｔ（ｍ）及びタイミングｔ（ｍ＋Ｄ）で受信したパケット信号に含まれる未知信号Ｄａｔａ１_ｍには、異なる干渉信号が含まれることになる。
【００１９】
よって、通信装置１では、タイミングｔ（ｍ）とタイミングｔ（ｍ＋Ｄ）とで受信したパケット信号に含まれる既知信号ＴＳ１に基づいて、例えば、最小２乗誤差（ＭＭＳＥ）合成方式により合成ウエイトを算出して、タイミングｔ（ｍ）とタイミングｔ（ｍ＋Ｄ）とで受信したパケット信号に含まれる未知信号Ｄａｔａ１_ｍを合成しても、所望の誤り率の改善が行われないという問題があった。
【００２０】
これは、同じタイミング、かつ同じチャネルでパケット信号を受信する通信装置１乃至２において、それぞれ固有で固定的な既知信号ＴＳ１乃至２を用いて、パケット信号を受信しているために生じる問題であるため、上述した既知信号ＴＳ１乃至２を、パケット信号毎に変更することも考えられるが、当該既知信号ＴＳ１乃至２を頻繁に変更することは、制御が複雑化する上に、変更の通知に伴う制御信号がオーバーヘッドとなり、スループットが低下するという別の問題を生じる。
【００２１】
そこで、本発明は、このような状況に鑑みてなされたものであり、ＨＡＲＱの機能を備える無線通信システムにおいて、合成したパケット信号の誤り率をより改善させることが可能な通信装置及び制御方法を提供することを目的とする。
【課題を解決するための手段】
【００２２】
上述した問題を解決するため、本発明は、次のような特徴を有している。まず、本発明の第１の特徴は、無線回線を介して複数のパケット信号を受信し、前記パケット信号に含まれるノイズ信号を抑制して複数の前記パケット信号を合成する通信装置であって、前記パケット信号には、自装置で既知の情報を示す既知信号と、自装置で知られていない情報を示す未知信号とが含まれており、複数の前記パケット信号間にて、前記既知信号の相関と前記未知信号の相関とを比較する相関比較部（相関比較部５０３）と、前記相関比較部の結果に基づいて、複数のパケット信号の合成方式を制御する合成方式制御部（合成方式制御部５０４）と、複数のパケット信号を合成する合成部（合成部４４）とを備えることを要旨とする。このような特徴によれば、通信装置は、複数のパケット信号に含まれる既知信号の相関と、未知信号の相関とを比較し、複数のパケット信号の合成方式を制御する。つまり、かかる特徴によれば、通信装置は、従来技術のように、複数のパケット信号間において、ノイズ信号の影響により変化する既知信号の相関のみに基づいて、ノイズ信号を抑制して合成するのではなく、ノイズ信号の影響により変化する未知信号の相関についても考慮して複数のパケット信号を合成するので、合成したパケット信号の誤り率を改善させることが出来る。よって、かかる特徴によれば、ＨＡＲＱの機能を備える無線通信システムにおいて、合成したパケット信号の誤り率をより改善させることができる。
【００２３】
本発明の第２の特徴は、本発明の第１の特徴に係り、複数の前記パケット信号のそれぞれに含まれる前記既知信号の相関度を示す既知相関値を算出する既知相関値算出部（既知相関値算出部５０１）と、複数の前記パケット信号のそれぞれに含まれる前記未知信号の相関度を示す未知相関値を算出する未知相関値算出部（未知相関値算出部５０２）とを更に備え、前記相関比較部は、算出された前記既知相関値と前記未知相関値とを比較することを要旨とするものである。このような特徴によれば、通信装置は、複数のパケット信号間において、既知相関値と未知相関値とを比較し、例えば、既知相関値と未知相関値とが近似する場合や、近似しない場合等の状況に応じて、合成方式を制御することができるので、ＨＡＲＱの機能を備える無線通信システムにおいて、合成したパケット信号の誤り率をより改善させることができる。
【００２４】
本発明の第３の特徴は、本発明の第１又は第２の特徴に係り、前記合成方式制御部は、前記相関比較部の結果に基づいて、複数の前記パケット信号において、相関度の高いノイズ信号を抑制して合成する第１の合成方式を使用するか、又は、相関度を有する部分を増加させて合成する第２の合成方式を使用するかを選択することを要旨とする。このような特徴によれば、通信装置は、既知相関値と未知相関値とを比較し、例えば、複数のパケット信号の各既知信号及び各未知信号において、ノイズ信号の影響により変化する既知相関値や未知相関値が近似する（相関度が高い）値である場合には、複数のパケット信号の各既知信号と各未知信号とにおいて、相関度の高いノイズ信号を抑制する第１の合成方式により複数のパケット信号を合成できる。また、かかる通信装置は、既知相関値と未知相関値とを比較し、例えば、複数のパケット信号の各既知信号及び各未知信号において、ノイズ信号の影響により変化する既知相関値や未知相関値が近似しない（相関度が低い）値である場合には、第２の合成方式により、複数のパケット信号の各既知信号と各未知信号とにおいて、相関度の高い信号部分を増加させて合成する。よって、かかる通信装置によれば、既知相関値と未知相関値とを比較した結果に応じて、第１の合成方式と第２の合成方式とを選択して使用するので、合成したパケット信号の誤り率をより改善させることができる。
【００２５】
本発明の第４の特徴は、本発明の第３の特徴に係り、前記相関比較部は、前記既知相関値と前記未知相関値との差を比較し、前記合成方式制御部は、前記既知相関値と前記未知相関値との差が所定の値未満である場合、前記第１の合成方式を選択することを要旨とする。このような特徴によれば、通信装置は、既知相関値と未知相関値の差が所定の値未満である場合、複数のパケット信号の各既知信号と各未知信号とにおいて、相関の類似する（相関度の高い）ノイズ信号が含まれているとみなして、相関度の高いノイズ信号を抑制する第１の方式を選択して、複数のパケット信号を合成することが出来る。また、通信装置は、既知相関値と未知相関値の差が所定の値以上である場合、複数のパケット信号の各既知信号、又は、各未知信号において、相関の異なる（相関度の低い）傾向のノイズ信号が含まれているとみなして、相関度の高い信号部分を増加させて合成する第２の方式を選択して、複数のパケット信号を合成することが出来る。よって、かかる通信装置によれば、既知相関値と未知相関値との差に応じて、第１の合成方式と第２の合成方式とを選択して使用するので、合成したパケット信号の誤り率をより改善させることができる。
【００２６】
本発明の第５の特徴は、無線回線を介して複数のパケット信号を受信し、前記パケット信号に含まれるノイズ信号を抑制して複数の前記パケット信号を合成する通信装置における制御方法であって、前記パケット信号には、自装置で既知の情報を示す既知信号と、自装置で知られていない情報を示す未知信号とが含まれており、複数の前記パケット信号間にて、前記既知信号の相関と前記未知信号の相関とを比較する相関比較ステップと、前記相関比較ステップの結果に基づいて、複数のパケット信号の合成方式を制御する合成方式制御ステップと、複数のパケット信号を合成する合成ステップとを備えることを要旨とする。
【００２７】
本発明の第６の特徴は、本発明の第５の特徴に係り、複数の前記パケット信号のそれぞれに含まれる前記既知信号の相関度を示す既知相関値を算出する既知相関値算出ステップと、複数の前記パケット信号のそれぞれに含まれる前記未知信号の相関度を示す未知相関値を算出する未知相関値算出ステップとを更に備え、前記相関比較ステップにおいて、算出された前記既知相関値と前記未知相関値とを比較することを要旨とする。
【００２８】
本発明の第７の特徴は、本発明の第５又は第６の特徴に係り、前記合成方式制御ステップにおいて、前記相関比較ステップの結果に基づいて、複数の前記パケット信号において、相関度の高いノイズ信号を抑制して合成する第１の合成方式を使用するか、又は、相関度を有する部分を増加させて合成する第２の合成方式を使用するかを選択することを要旨とする。
【００２９】
本発明の第８の特徴は、本発明の第７の特徴に係り、前記相関比較ステップにおいて、前記既知相関値と前記未知相関値との差を比較し、前記合成方式制御ステップにおいて、前記既知相関値と前記未知相関値との差が所定の値未満である場合、前記第１の合成方式を選択することを要旨とする。
【発明の効果】
【００３０】
本発明の特徴によれば、ＨＡＲＱの機能を備える無線通信システムにおいて、合成したパケット信号の誤り率をより改善させることができる通信装置及び制御方法を提供することができる。
【発明を実施するための最良の形態】
【００３１】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００３２】
＜本発明の第１実施形態＞
（無線通信システムの全体概略構成）
第１実施形態に係る無線通信システムは、無線基地局が、空間多重接続（ＳＤＭＡ）により、同じタイミング（タイムスロット）、かつ同じチャネル（周波数帯域）で複数の端末装置と無線通信を実行する。
【００３３】
図１は、本実施形態に係る無線通信システムの全体概略構成を示す図である。図１に示すように、本実施形態に係る無線通信システムは、無線基地局１００_１乃至１００_２と、端末装置２００_１乃至２００_ｎと、基地局制御装置３００とを備える。なお、本実施形態では、無線通信システムが、１つの基地局制御装置３００と、２つの無線基地局１００_１乃至１００_２を備えている場合を例に説明するが、その数は、これに限定されるものではない。
【００３４】
無線基地局１００_１乃至１００_２は、端末装置２００_１乃至２００_ｎとの間で、無線回線を用いて通信を行う。
【００３５】
端末装置２００_１乃至２００_ｎは、無線基地局１００_１乃至１００_２と無線通信を行う機能を有する端末であり、例えば、携帯電話やＰＨＳ、ノートＰＣなどが挙げられる。
【００３６】
基地局制御装置３００は、無線基地局１００_１乃至１００_２と接続する。また、基地局制御装置３００は、無線基地局１００_１乃至１００_２を配下に有し、無線基地局１００_１乃至１００_２と端末装置２００_１乃至２００_ｎとの間における無線通信を制御する。
【００３７】
（端末装置の全体概略構成）
次に、図２を参照し、端末装置２００_１乃至２００_ｎの構成について具体的に説明する。なお、端末装置２００_１乃至２００_ｎは同様の構成であるので、端末装置２００_１の構成について説明する。また、以下、本発明との関連がある部分について主に説明する。したがって、端末装置２００_１は、端末装置２００_１としての機能を実現する上で必須な、図示しない或いは説明を省略した機能ブロック（電源部など）を備える場合があることに留意されたい。
【００３８】
ここで、端末装置２００_１は、ハイブリッド自動再送要求（以下、ＨＡＲＱ：Ｈｙｂｒｉｄ−Ａｕｔｏｍａｔｉｃ Ｒｅｐｅａｔ Ｒｅｑｕｅｓｔ）の機能を備え、無線基地局１００_１乃至１００_２から、無線回線を介して送信されたパケット信号に誤りを検出した場合、再送要求を実施して、既に受信したパケット信号と、再送されたパケット信号とを合成するように構成されている。また、当該パケット信号には、トレーニングシーケンス（ＴＳ）等、自装置で既知の情報を示す既知信号と、自装置では知られていない通信データ等の情報を示す未知信号とが含まれている。
【００３９】
また、図２に示すように、端末装置２００_１は、アンテナ１０と、受信部２０と、送信部３０と、信号処理部４０と、制御部５０とを備える。
【００４０】
アンテナ１０は、受信部２０と、送信部３０と接続し、無線基地局１００_１乃至１００_２から送信される無線信号を送受信する。
【００４１】
受信部２０は、アンテナ１０と、後述する信号処理部４０の合成部４４と接続する。また、受信部２０は、アンテナ１０を介して、無線基地局１００_１乃至１００_２から送信される無線信号を受信すると共に、当該無線信号に対して、ダウンコンバージョン等の無線信号処理や、Ａ／Ｄ変換処理、復調処理等を行い、処理後の信号を合成部４４へ送信する。
【００４２】
送信部３０は、アンテナ１０と、後述する信号処理部４０の再送要求発生部４３と接続する。また、送信部３０は、入力された信号に対して、変調処理、Ｄ／Ａ変換処理、アップコンバージョン等の無線信号処理を行い、アンテナ１０を介して、処理後の信号を無線基地局１００_１乃至１００_２へ送信する。
【００４３】
信号処理部４０は、ＨＡＲＱの処理を実行する。具体的に、信号処理部４０は、誤り検出部４１と、メモリ４２と、再送要求発生部４３と、合成部４４とを備える。
【００４４】
誤り検出部４１は、メモリ４２と、再送要求発生部４３と、合成部４４と、外部に設けられている外部装置（図示せず）と接続する。また、誤り検出部４１は、合成部４４から出力されるパケット信号に対して、誤り訂正などの復号処理を行ったあと、誤りの有無を検出する。また、誤り検出部４１では、誤り検出がされなかったパケット信号を、外部装置へ送信し、誤りが検出されたパケット信号をメモリ４２に保存する。なお、誤り検出部４１は、誤りの有無に基づく制御信号を、メモリ４２と再送要求発生部４３とに送信する。
【００４５】
メモリ４２は、誤り検出部４１と、合成部４４と、後述する制御部５０とに接続する。また、メモリ４２は、誤り検出部４１で誤りが検出された場合、合成後のパケット信号を保存（以下、保存信号）する。
【００４６】
再送要求発生部４３は、誤り検出部４１と、送信部３０とに接続する。また、再送要求発生部４３は、誤り検出部４１からの制御信号に基づき、パケット信号の再送要求が必要な際、当該パケット信号の送信元である無線基地局１００_１乃至１００_２に対し、送信部３０及びアンテナ１０を介して、再送要求信号を送信する。
【００４７】
合成部４４は、受信部２０と、誤り検出部４１と、メモリ４２と、後述する制御部５０とに接続する。また、合成部４４は、予め設定されている合成ウエイト算出方式に基づいて、無線基地局１００_１乃至１００_２から再送信されたパケット信号（以下、再送信号）とメモリ４２に保存されている保存信号との合成ウエイトを計算して、再送信号と保存信号との合成処理を行い、合成したパケット信号（以下、合成信号）を生成する。
【００４８】
具体的に、合成部４４は、保存信号及び再送信号に含まれる既知信号及び未知信号を参照し、両方の既知信号及び未知信号に基づいて、後述する制御部５０から通知された合成ウエイト計算方式により、メモリ４２に保存されている保存信号と、受信部２０から送信された再送信号とを合成する際の合成ウエイトを算出する。また、合成部４４は、算出した合成ウエイトに基づいて、保存信号と再送信号とを合成して合成信号を生成し、当該合成信号を誤り検出部４１へ送信する。
【００４９】
ここで、本実施形態では、合成部４４は、予め設定されている合成ウエイト算出方式として、干渉波抑制用アルゴリズムを用いた第１の合成方式と、希望波合成用アルゴリズムを用いた第２の合成方式との２つの合成方式により、保存信号と再送信号とを合成する。
【００５０】
本実施形態において、干渉波抑制用アルゴリズムを用いた第１の合成方式は、最小２乗誤差合成方式（ＭＭＳＥ:Ｍｉｎｉｍｕｍ Ｍｅａｎ Ｓｑｕａｒｅ Ｅｒｒｏｒ）を想定している。最小２乗誤差合成方式は、干渉信号等の影響を考慮し、予め記憶する既知信号と、実際に送信された既知信号との間の平均２乗誤差が最小となるように合成ウエイトを計算して合成する方法である。なお、第１の合成方式は、他の方式として、ゼロフォーシング方式（ＺＦ：Ｚｅｒｏ−Ｆｏｒｃｉｎｇ）等を用いても良い。
【００５１】
本実施形態において、希望波合成用アルゴリズムを用いた第２の合成方式は、最大比合成方式（ＭＲＣ: Ｍａｘｉｍｕｍ ｒａｔｉｏ ｃｏｍｂｉｎｉｎｇ）を想定している。
最大比合成方式は、合成後の信号対雑音電力比（ＳＮＲ:Ｓｉｇｎａｌ ｔｏ Ｎｏｉｓｅ ｐｏｗｅｒ Ｒａｔｉｏ）を最大とするために、受信信号の位相や振幅に応じた合成ウエイトを計算して合成する方法である。なお、第２の合成方式は、他の方式として、等利得合成方式（ＥＧ:Ｅｑｕａｌ ｇａｉｎ）等を用いても良い。
【００５２】
なお、合成部４４は、後述する制御部５０の合成方式制御部５０４から送信される第１の合成方式又は第２の合成方式を示す合成方式選択信号に従って、第１の合成方式又は第２の合成方式を用いて保存信号と再送信号とを合成する。
【００５３】
制御部５０は、合成部４４で行われる合成方式を制御するように構成されている。具体的に、図３に示すように、制御部５０は、既知相関値算出部５０１と、未知相関値算出部５０２と、相関比較部５０３と、合成方式制御部５０４とを備えている。
【００５４】
既知相関値算出部５０１は、メモリ４２と、受信部２０と、相関比較部５０３とに接続する。また、既知相関値算出部５０１は、複数のパケット信号のそれぞれに含まれる既知信号の相関度を示す既知相関値を算出する。具体的に、既知相関値算出部５０１は、メモリ４２で保存されている保存信号に含まれる既知信号と、受信部２０から送信された再送信号に含まれる既知信号との相関度を示す既知相関値を算出する。また、既知相関値算出部５０１は、算出した既知相関値を相関比較部５０３へ通知する。
【００５５】
未知相関値算出部５０２は、メモリ４２と、受信部２０と、相関比較部５０３とに接続する。また、未知相関値算出部５０２は、複数のパケット信号のそれぞれに含まれる未知信号の相関度を示す未知相関値を算出する。具体的に、未知相関値算出部５０２は、メモリ４２で保存されている保存信号に含まれる未知信号と、受信部２０から送信された再送信号に含まれる未知信号との相関度を示す未知相関値を算出する。また、未知相関値算出部５０２は、算出した未知相関値を相関比較部５０３へ通知する。
【００５６】
相関比較部５０３は、複数のパケット信号間にて、既知信号の相関と未知信号の相関とを比較する。具体的に、相関比較部５０３は、既知相関値算出部５０１及び未知相関値算出部５０２で算出された既知相関値と未知相関値とを比較する。この時、相関比較部５０３は、既知相関値と未知相関値との差を算出し、既知相関値と未知相関値との差の絶対値が予め設定される閾値（所定の値）未満であるか否かを判定する。また、相関比較部５０３は、既知相関値と未知相関値との比較結果として、かかる差の絶対値を判定した結果を合成方式制御部５０４へ通知する。
【００５７】
合成方式制御部５０４は、相関比較部５０３の結果に基づいて、複数のパケット信号の合成方式を制御する。具体的に、合成方式制御部５０４は、相関比較部５０３の比較結果に基づいて、保存信号と再送信号とにおいて、相関度の高いノイズ信号を抑制して合成する第１の合成方式を使用するか、又は、相関度を有する部分を増加させて合成する第２の合成方式を使用するかを選択する。この時、合成方式制御部５０４は、既知相関値と未知相関値との差が閾値未満である場合、第１の合成方式を選択し、閾値以上である場合、第２の合成方式を選択する。また、合成方式制御部５０４は、選択した合成方式を示す合成方式選択信号を合成部４４へ送信する。
【００５８】
このようにして送信された合成方式選択信号に従って、合成部４４では、合成方式制御部５０４で選択された第１の合成方式又は第２の合成方式により、保存信号と再送信号とを合成する。
【００５９】
ここで、既知相関値算出部５０１と、未知相関値算出部５０２と、相関比較部５０３と、合成方式制御部５０４との機能によって、第１の合成方式又は第２の合成方式の選択を行う理論的背景について詳しく説明する。例えば、受信信号において、ｎシンボル目の受信信号ｒ（ｎ）は、（１）式のように表される。
【００６０】
【数１】
2008060849.tif 000003
また、例えば、端末装置２００_１乃至２００_２との２つの端末装置に着目し、特に端末装置２００_１を基準に考えると、Ｓ１（ｎ）は、希望波信号（例えば、端末装置２００_１の信号）、Ｓ２（ｎ）は干渉波信号（例えば、端末装置２００_２向けの無線信号）、ｎ（ｎ）は雑音、ｈ１（ｎ）は、希望波信号が受ける伝搬路変動、ｈ２（ｎ）は、干渉波信号が受ける伝搬路変動である。今、ｎシンボル目を含むｍ番目の受信パケットにおいて、誤りが検出された場合、その受信パケットはメモリに保存されると共に、再送要求が行われ、遅延時間Ｍが経過した後に再送信号を含む信号ｒ（ｎ+Ｍ）が受信される。ここで、端末装置２００_１乃至２００_２が共に再送要求した場合、既知相関値ＣＯＲk（ｍ）は、（２）式のように表される。
【００６１】
【数２】
2008060849.tif 000004
また、未知相関値ＣＯＲu（ｍ）は、（３）式のように表される。
【００６２】
【数３】
2008060849.tif 000005
ここで、一般的なＰTSk＝ＰDatak（ｋは端末装置番号）のシステムを想定すると、既知相関値ＣＯＲk（ｍ）と未知相関値ＣＯＲu（ｍ）との関係は、（４）式に示すようになる。
【００６３】
【数４】
2008060849.tif 000006
一方、端末装置２００_１のみが再送要求した場合、既知相関値ＣＯＲk（ｍ）は共に再送要求した場合と変わらないが、未知相関値ＣＯＲu（ｍ）は、（５）式のようになるため、既知相関値ＣＯＲk（ｍ）/未知相関値ＣＯＲu（ｍ）の相関の関係は、（６）式のようになる。
【００６４】
【数５】
2008060849.tif 000007
【００６５】
【数６】
2008060849.tif 000008
したがって、（７）式のように閾値との比較を行い、閾値（Ｔｈｒｅｓｈｏｌｄ）未満である時、干渉波抑制用アルゴリズムを用いた第１の合成方式を選択する。
【００６６】
【数７】
2008060849.tif 000009
また、（８）式のように閾値（Ｔｈｒｅｓｈｏｌｄ）以上である時、希望波合成用アルゴリズムを用いた第２の合成方式を選択する。
【００６７】
【数８】
2008060849.tif 000010
このようにして、制御部５０において、第１の合成方式、又は、第２の合成方式を選択し、合成部４４によって保存信号と再送信号との合成処理が行われる。
【００６８】
（端末装置の動作）
次に、上述した構成の端末装置２００_１の動作について図４を参照して説明する。
【００６９】
図４は、パケット信号を受信した際の端末装置２００_１の動作を示すフローチャートである。
【００７０】
ステップＳ１０において、端末装置２００_１では、受信部２０が、パケット信号を受信する。また、受信部２０は、受信したパケット信号を、合成部４４と、制御部５０とへ送信する。
【００７１】
ステップＳ１２において、合成部４４と制御部５０とは、受信部２０から送信されたパケット信号が再送信号か否かを判定する。
【００７２】
ステップＳ１４において、（ステップＳ１２の「Ｙ」の場合）端末装置２００_１では、制御部５０が、メモリ４２に保存されている保存信号を読み出す。
【００７３】
ステップＳ１６において、制御部５０が、再送信号と保存信号とに基づいて、既知相関値ＣＯＲk（ｍ）及び未知相関値ＣＯＲu（ｍ）を算出すると共に、既知相関値ＣＯＲk（ｍ）と未知相関値ＣＯＲu（ｍ）との差から、第１の合成方式、又は、第２の合成方式を選択する。また、制御部５０は、選択した合成方式を示す合成方式選択信号を合成部４４へ送信する。
【００７４】
ステップＳ１８において、合成部４４は、メモリ４２に保存されている保存信号を読み出す。また、合成部４４は、制御部制御部５０から送信された合成方式選択信号の示す第１の合成方式又は第２の合成方式により、保存信号と再送信号との合成ウエイトを算出する。
【００７５】
ステップＳ２０において、合成部４４は、算出した合成ウエイトに基づいて、保存信号と再送信号とを合成して合成信号を生成する。また、合成部４４は、生成した合成信号を誤り検出部４１へ送信する。
【００７６】
ステップＳ２２において、（ステップＳ１２の「Ｎ」の場合）、誤り検出部４１は、合成部４４から送信された合成信号及びパケット信号を受信し、誤り訂正等の復号処理を行う。
【００７７】
ステップＳ２４において、誤り検出部４１は、復号処理を行った信号に誤りが検出されたか否かを判定する。
【００７８】
ステップＳ２６において、（ステップＳ２４の「Ｎ」の場合）、誤り検出部４１は、誤りを検出しなかった場合、処理後の信号を外部装置へ出力する。
【００７９】
ステップＳ２８において、（ステップＳ２４の「Ｙ」の場合）、誤り検出部４１は、誤りを検出した場合、処理後の信号を保存信号としてメモリ４２に保存する。
【００８０】
ステップＳ３０において、誤り検出部４１は、誤りが検出されたことを、再送要求発生部４３へ通知する。また、再送要求発生部４３は、送信部３０を介して、再送要求信号を無線基地局１００_１乃至１００_２へ送信する。
【００８１】
このように、本実施形態に係る端末装置２００_１では、無線基地局１００_１乃至１００_２から、無線回線を介して送信されたパケット信号（保存信号）と、当該パケット信号と同じ信号を後に再送したパケット信号（再送信号）とを受信すると共に、保存信号と再送信号とに含まれるノイズ信号を抑制して合成するＨＡＲＱ処理を実行する。
【００８２】
次に、図５のフローチャートを参照し、上述したステップＳ１６における制御部５０の動作について具体的に説明する。
【００８３】
ステップＳ１６０において、制御部５０の既知相関値算出部５０１が、受信部２０から送信された再送信号に含まれる既知信号と、メモリ４２から読み出した保存信号に含まれる既知信号とに基づいて、既知相関値ＣＯＲk（ｍ）を算出する。
【００８４】
ステップＳ１６２において、未知相関値算出部５０２は、受信部２０から送信された再送信号に含まれる未知信号と、メモリ４２から読み出した保存信号に含まれる未知信号とに基づいて、未知相関値ＣＯＲu（ｍ）を算出する。
【００８５】
ステップＳ１６４において、相関比較部５０３は、算出された既知相関値ＣＯＲk（ｍ）と未知相関値ＣＯＲu（ｍ）との差の絶対値が、閾値未満であるか否かを判定する。また、相関比較部５０３は、判定した結果を合成方式制御部５０４へ通知する。
【００８６】
ステップＳ１６６において、（ステップＳ１６４の「Ｎ」の場合）、合成方式制御部５０４は、相関比較部５０３からの通知に基づいて、差の絶対値が閾値以上であると通知された場合、希望波合成用アルゴリズムを用いた第２の合成方式を選択する。また、合成方式制御部５０４は、選択した第２の合成方式を示す合成方式選択信号を、合成部４４へ送信する。
【００８７】
ステップＳ１６８において、（ステップＳ１６４の「Ｙ」の場合）、合成方式制御部５０４は、相関比較部５０３からの通知に基づいて、差の絶対値が閾値未満であると通知された場合、干渉波抑制用アルゴリズムを用いた第１の合成方式を選択する。また、合成方式制御部５０４は、選択した第１の合成方式を示す合成方式選択信号を、合成部４４へ送信する。
【００８８】
（第１実施形態に係る作用・効果）
本実施形態に係る端末装置２００_１では、保存信号と再送信号とにそれぞれ含まれる既知信号の相関度を示す既知相関値ＣＯＲk（ｍ）と、保存信号と再送信号とにそれぞれ含まれる未知信号の相関度を示す未知相関値ＣＯＲu（ｍ）との差の絶対値が、閾値未満である場合、つまり保存信号及び再送信号における既知信号に含まれるノイズ信号の変化と、未知信号に含まれるノイズ信号の変化とが類似する（相関度の高い）場合、干渉波抑制用アルゴリズムを用いた第１の合成方式を選択して、保存信号と再送信号とを合成する。
【００８９】
よって、例えば、端末装置２００_１は、保存信号及び再送信号において、当該保存信号及び再送信号を受信した際に、他の装置（例えば、端末装置２００_２）向けに送信及び再送されたパケット信号により生じる相関度の高い干渉信号が含まれる場合には、最小２乗誤差合成方式等の干渉波抑制用アルゴリズムを用いた第１の合成方式により合成ウエイトを算出すると共に、当該合成ウエイトに基づいて保存信号と再送信号とを合成するので、保存信号と再送信号とに含まれる相関度の高い干渉信号を抑制して合成することが出来る。
【００９０】
また、端末装置２００_１は、保存信号と再送信号とにおいて、既知相関値ＣＯＲk（ｍ）と未知相関値ＣＯＲu（ｍ）とが閾値以上である場合、つまり保存信号及び再送信号のそれぞれの既知信号に含まれるノイズ信号の変化（相関度）と、未知信号に含まれるノイズ信号の変化（相関度）とが大きく異なる場合、最大比合成方式等の希望波合成用アルゴリズムを用いた第２の合成方式を選択して、保存信号及び再送信号の未知信号に異なるノイズ信号が含まれていることも考慮して合成する。
【００９１】
このようにして、端末装置２００_１は、従来技術のように、保存信号及び再送信号における既知信号に含まれるノイズ信号のみに基づいて合成するのではなく、未知信号に含まれるノイズ信号も考慮して保存信号及び再送信号を合成するので、合成したパケット信号の誤り率を改善させることが出来る。よって、かかる特徴によれば、ＨＡＲＱの機能を備える無線通信システムにおいて、合成したパケット信号の誤り率をより改善させることができる。
【００９２】
また、端末装置２００_１では、既知相関値ＣＯＲk（ｍ）と未知相関値ＣＯＲu（ｍ）の差の絶対値が閾値未満である場合は、両パケット信号の既知信号と未知信号とにおいて、相関度の高いノイズ信号が含まれているとみなして、相関度の高いノイズ信号を抑制する第１の方式を選択して、保存信号及び再送信号を合成することが出来るので、合成したパケット信号の誤り率をより改善させることができる。
【００９３】
また、端末装置２００_１では、既知相関値ＣＯＲk（ｍ）と未知相関値ＣＯＲu（ｍ）の差の絶対値が閾値以上である場合は、両パケット信号の既知信号と未知信号とにおいて、異なるノイズ信号が含まれているとみなして、相関度の高い部分を増加させて合成する第２の方式を選択して、保存信号及び再送信号を合成することが出来るので、合成したパケット信号の誤り率をより改善させることができる。
【００９４】
また、端末装置２００_１は、既知相関値ＣＯＲk（ｍ）と未知相関値ＣＯＲu（ｍ）との差の絶対値が閾値未満である場合、保存信号及び再送信号において相関度の高いノイズ信号を抑制して合成する第１の合成方式として最小２乗誤差合成方式により、保存信号と再送信号とを合成し、合成したパケット信号の誤り率を改善させることが出来る。また、既知相関値ＣＯＲk（ｍ）と未知相関値ＣＯＲu（ｍ）との差の絶対値が閾値以上である場合、保存信号及び再送信号において相関度の高い部分を増加させて合成する第２の合成方式として、最大比合成方式により、保存信号と再送信号とを合成し、合成したパケット信号の誤り率を改善させることが出来る。
【００９５】
＜本発明の第２実施形態＞
次に、本発明の第２実施形態について、第１実施形態との相違点に着目して説明する。なお、第１実施形態に係る無線通信システムでは、端末装置２００_１が、ＨＡＲＱの機能を備えている場合を例に説明したが、本実施形態に係る無線通信システムでは、無線基地局１００_１乃至１００_２が、ＨＡＲＱの機能を備えている場合を例に挙げて説明する。また、本実施家形態においても、第１実施形態と同様に、無線通信システムでは、無線基地局が、空間多重接続（ＳＤＭＡ）等の機能を備え、同じタイミング（タイムスロット）、かつ同じチャネル（周波数帯域）で複数の端末装置と無線通信を実行する。また、本実施形態に係る無線基地局１００_１乃至１００_２は、一のチャネルを用いて複数の端末装置２００_１乃至２００_ｎと空間多重により無線通信を行う場合を例に説明する。なお、かかる無線基地局１００_１乃至１００_２は、複数のチャネルを用いて端末装置２００_１乃至２００_ｎとの間で無線通信を行うことも無論可能である。
【００９６】
本実施形態に係る無線基地局１００_１乃至１００_２の構成について説明する。また、無線基地局１００_１乃至１００_２の構成は同様であるため、無線基地局１００_１の構成について説明する。
【００９７】
図６に示すように、無線基地局１００_１は、アンテナ１１０と、受信部１２０と、送信部１３０と、信号処理部１４０_１乃至１４０_ｎと、制御部１５０とを備える。
【００９８】
アンテナ１１０は、受信部１２０と、送信部１３０と接続し、複数の端末装置２００_１乃至２００_ｎとの間で無線信号を送受信する。
【００９９】
受信部１２０は、アンテナ１１０と、後述する信号処理部１４０_１乃至１４０_ｎに備えられている合成部と接続する。また、受信部１２０は、アンテナ１１０を介して、複数の端末装置２００_１乃至２００_ｎからの無線信号を受信し、受信した信号を信号処理部の合成部１４４へ送信する。
【０１００】
送信部１３０は、アンテナ１１０と、後述する信号処理部１４０_１乃至１４０_ｎに備えられている再送要求発生部と接続する。また、送信部１３０は、アンテナ１１０を介して、複数の端末装置２００_１乃至２００_ｎへ無線信号を送信する。
【０１０１】
信号処理部１４０_１乃至１４０_ｎは、それぞれ空間多重によって一のチャネルに割り当てられた端末装置２００_１乃至２００_ｎに対応しており、端末装置２００_１乃至２００_ｎとの無線通信におけるＨＡＲＱの処理を実行する。また、本実施形態では、信号処理部１４０_１乃至１４０_ｎの数“ｎ”がそのスロットにおいて実際に信号を送ってきた空間多重端末数を示している。
【０１０２】
次に、信号処理部１４０_１乃至１４０_ｎの構成について、具体的に説明する。なお、信号処理部１４０_１乃至１４０_ｎは、同様の構成であるため、信号処理部１４０_１の構成について説明する。信号処理部１４０_１は、誤り検出部１４１と、メモリ１４２と、再送要求発生部１４３と、合成部１４４とを備える。ここで、誤り検出部１４１とメモリ１４２と合成部１４４とは、第１実施形態に係る誤り検出部４１とメモリ４２と合成部４４と同様の構成であるため、説明を省略する。
【０１０３】
再送要求発生部１４３は、送信部１３０と、誤り検出部１４１と、制御部１５０と接続する。また、再送要求発生部１４３は、誤り検出部１４１からの制御信号に基づき、パケット信号の再送要求が必要な際、当該パケット信号の送信元である端末装置２００_１乃至２００_ｎに対し、送信部１３０及びアンテナ１１０を介して、再送要求信号を送信する。また、本実施形態に係る再送要求発生部１４３は、再送要求信号を送信部１３０と制御部１５０とへ送信する。
【０１０４】
制御部１５０は、信号処理部１４０_１乃至１４０_ｎの再送要求発生部１４３と、合成部１４４と接続する。また、制御部１５０は、信号処理部１４０_１乃至１４０_ｎの再送要求発生部１４３から送信される再送要求信号の数に基づいて、第１の合成方式又は第２の合成方式を選択する。
【０１０５】
具体的に、図７に示すように、制御部１５０は、再送要求検出部１５０１と、合成方式制御部１５０２とを備える。
【０１０６】
再送要求検出部１５０１は、所定のタイミング（例えば、タイムスロット）毎に、信号処理部１４０_１乃至１４０_ｎの再送要求発生部１４３から送信される再送要求信号の数をカウントする。また、再送要求検出部１５０１は、所定のタイミング内に全ての信号処理部１４０_１乃至１４０_ｎの再送要求発生部１４３から再送要求信号を受信したか否かを判定する。つまり、所定のタイミング内に空間多重の最大数“ｎ”だけの再送要求信号を受信したか否かを判定する。また、再送要求検出部１５０１は、判定した結果を合成方式制御部１５０２へ通知する。
【０１０７】
合成方式制御部１５０２は、再送要求検出部１５０１からの通知に基づいて、空間多重の最大数“ｎ”だけの再送要求信号を受信した場合、干渉波抑制用アルゴリズムを用いた第１の合成方式を選択する。また、合成方式制御部１５０２は、空間多重の最大数“ｎ”だけの再送要求信号を受信していない場合、希望波合成用アルゴリズムを用いた第２の合成方式を選択する。また、合成方式制御部１５０２は、再送要求検出部１５０１に再送要求信号を送信した再送要求発生部を備える信号処理部１４０_１の合成部へ、第１の合成方式又は第２の合成方式を示す合成方式選択信号を送信する。
【０１０８】
（無線基地局の動作）
次に、上述した構成の無線基地局１００_１の動作について図８を参照して説明する。
【０１０９】
図８は、無線基地局１００_１が第１の合成方式又は第２の合成方式を選択して保存信号と再送信号とを合成する動作を示すフローチャートである。
【０１１０】
ステップＳ１１０において、無線基地局１００_１では、信号処理部１４０_１乃至１４０_ｎのそれぞれに備えられている再送要求発生部が、送信部１３０及びアンテナ１１０を介して、再送要求信号を送信する。また、この時、再送要求発生部１４３は、当該再送要求信号を制御部１５０の再送要求検出部１５０１へ送信する。
【０１１１】
ステップＳ１１２において、再送要求検出部１５０１が、信号処理部１４０_１乃至１４０_ｎのそれぞれに備えられている再送要求発生部からの再送要求信号を受信する。また、再送要求検出部１５０１は、空間多重の最大数“ｎ”だけの再送要求信号を受信したか否かを判定し、判定した結果を合成方式制御部１５０２に通知する。合成方式制御部１５０２は、通知された判定結果に応じて、第１の合成方式、又は、第２の合成方式を選択する。
【０１１２】
ステップＳ１１４において、合成方式制御部１５０２が、選択した合成方式を示す合成方式選択信号を、再送要求信号を送信した再送要求発生部を備える信号処理部１４０_１乃至１４０_ｎの合成部へ送信する。
【０１１３】
以降、ステップＳ１１６乃至ステップＳ１２８の動作は、第１実施形態に係るステップＳ１８乃至ステップＳ３０（図４参照）の動作と同様であるため説明を省略する。
【０１１４】
次に、図９のフローチャートを参照し、上述したステップＳ１１２における制御部１５０の動作について具体的に説明する。
【０１１５】
ステップＳ１１２０において、制御部１５０の再送要求検出部１５０１が、信号処理部１４０_１乃至１４０_ｎのそれぞれに備えられている再送要求発生部からの再送要求信号を受信する。また、再送要求検出部１５０１は、空間多重の最大数“ｎ”だけ再送要求信号を受信したか否かを判定し、判定した結果を合成方式制御部１５０２に通知する。
【０１１６】
ステップＳ１１２２において、合成方式制御部１５０２が、再送要求検出部１５０１からの判定結果として、空間多重の最大数“ｎ”だけ再送要求信号を受信していないと通知された場合、第２の合成方式を選択する。
【０１１７】
ステップＳ１１２４において、合成方式制御部１５０２が、再送要求検出部１５０１からの判定結果として、空間多重の最大数“ｎ”だけ再送要求信号を受信したと通知された場合、第１の合成方式を選択する。
【０１１８】
（第２実施形態に係る作用・効果）
本実施形態に係る無線基地局１００_１では、複数の端末装置２００_１乃至２００_ｎとの間で、同一のチャネルで、かつ同一のタイミングで、空間多重の最大数“ｎ”だけ再送要求信号を受信した場合、つまり空間多重が可能な全ての端末装置２００_１乃至２００_ｎに対して、再送要求信号が送信される場合、第１の合成方式が選択される。よって、かかる無線基地局１００_１では、空間多重が可能な最大数の端末装置２００_１乃至２００_ｎから、再送信号が送信されることで、複数の端末装置２００_１乃至２００_ｎからの干渉信号が最も多く生じる場合に、干渉波抑制用アルゴリズムを用いた第１の合成方式が選択されて、保存信号と再送信号との合成ウエイトが算出されると共に、当該保存信号と再送信号との合成が行われるので、合成信号の誤り率をより改善できる。
【０１１９】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１２０】
例えば、上述した第１の実施形態において、相関比較部５０３では、算出された既知相関値ＣＯＲk（ｍ）と未知相関値ＣＯＲu（ｍ）との差の絶対値が、閾値未満であるか否かを判定するように構成されていたが、かかる相関比較部５０３は、既知相関値ＣＯＲk（ｍ）と未知相関値ＣＯＲu（ｍ）との比が、所定の比の閾値未満であるか否かを判定するように構成されていても良い。
【０１２１】
また、上述した第１実施形態では、端末装置２００_１（通信装置）に、信号処理部４０及び制御部５０が備えられている場合を例に説明したが、かかる機能は、無線基地局１００_１乃至１００_２に備えられていても良い。
【０１２２】
また、上述した第２実施形態に係る再送要求検出部１５０１は、所定のタイミング内に一のチャネルにおける空間多重の最大数“ｎ”だけ再送要求信号を受信したか否かを判定するように構成されていたが、かかる再送要求検出部１５０１は、所定のタイミング内に予め設定された閾値（所定の数、例えば“３”）以上の再送要求信号を受信したか否かを判定し、当該判定結果を合成方式制御部１５０２へ通知するように構成されていても良い。そして、合成方式制御部１５０２は、この通知に基づいて、第１の合成方式又は第２の合成方式を選択するように構成されていても良い。
【０１２３】
また、上述した第２実施形態に係る無線基地局１００_１乃至１００_２に備えられている制御部１５０は、複数の無線基地局１００_１乃至１００_２を管理する基地局制御装置３００に備えられていてもよい。かかる構成により、基地局制御装置３００では、例えば、無線範囲が互いに隣接して干渉し易い無線基地局１００_１乃至１００_２において、所定のタイミング内に同一のチャネルを用いて再送要求が行われた際に、無線基地局１００_１乃至１００_２それぞれの合成部４４に対して、干渉波抑制用アルゴリズムを用いた第１の合成方式を用いるように通知することも可能になる。
【０１２４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１２５】
【図１】本発明の第１実施形態に係る無線通信システムとを示す全体概略図である。
【図２】本発明の第１実施形態に係る端末装置の機能ブロック構成図である。
【図３】本発明の第１実施形態に係る制御部の機能ブロック構成図である。
【図４】本発明の第１実施形態に係る端末装置の動作を示すフローチャートである。
【図５】本発明の第１実施形態に係る端末装置の動作を示すフローチャートである。
【図６】本発明の第２実施形態に係る無線基地局の機能ブロック構成図である。
【図７】本発明の第２実施形態に係る制御部の機能ブロック構成図である。
【図８】本発明の第２実施形態に係る無線基地局の動作を示すフローチャートである。
【図９】本発明の第２実施形態に係る無線基地局の動作を示すフローチャートである。
【図１０】従来技術に係る通信装置の機能ブロック構成図である。
【図１１】（ａ）従来技術に係る通信装置のパケット信号の受信イメージを示す図である。（ｂ）従来技術に係る通信装置のパケット信号の受信イメージを示す図である。
【符号の説明】
【０１２６】
ＣＯＲk…既知相関値、ＣＯＲu…未知相関値、Ｓ１０乃至Ｓ３０…ステップ、Ｓ１１０乃至Ｓ１２８…ステップ、Ｓ１１２０乃至Ｓ１１２４…ステップ、Ｓ１６０乃至Ｓ１６８…ステップ、ｔ…タイミング、１乃至２…通信装置、Ｄａｔａ１乃至２…未知信号、ＴＳ１乃至２…既知信号、１０…アンテナ、２０…受信部、３０…送信部、４０…信号処理部、４１…誤り検出部、４２…メモリ、４３…再送要求発生部、４４…合成部、５０…制御部、１００_１乃至１００_２…無線基地局、１１０…アンテナ、１２０…受信部、１３０…送信部、１４０…信号処理部、１４１…検出部、１４２…メモリ、１４３…再送要求発生部、１４４…合成部、１５０…制御部、２００_１乃至２００_ｎ…端末装置、３００…基地局制御装置、５０１…既知相関値算出部、５０２…未知相関値算出部、５０３…相関比較部、５０４…合成方式制御部、１５０１…再送要求検出部、１５０２…合成方式制御部
【図１】
2008060849.tif 000011
【図２】
2008060849.tif 000012
【図３】
2008060849.tif 000013
【図４】
2008060849.tif 000014
【図５】
2008060849.tif 000015
【図６】
2008060849.tif 000016
【図７】
2008060849.tif 000017
【図８】
2008060849.tif 000018
【図９】
2008060849.tif 000019
【図１０】
2008060849.tif 000020
【図１１】
2008060849.tif 000021